(57)【特許請求の範囲】
【請求項１】
人工歯が並べられた歯列と、前記歯列を遺体の口中の詰綿に固定する固定部材とを備え、
前記固定部材は、前記歯列の裏面に設けられた、前記詰綿に接続する面ファスナーであり、
前記歯列は、それぞれの人工歯が分離した状態で形成され、
前記面ファスナーは、前記歯列の一端から他端までを連結したことを特徴とする遺体用義歯。
【請求項２】
前記歯列のアーチ形状を保持するワイヤ部材が、前記歯列の裏側に設けられている請求項１記載の遺体用義歯。
【発明の詳細な説明】
【技術分野】
【０００１】
本発明は、歯の一部が欠損したり、歯が損失したりした遺体に装着する遺体用義歯に関するものである。
【背景技術】
【０００２】
葬儀の際に、遺体の歯の一部が欠損したり、歯が損失したりしていると、口唇の隙間から口中の奥が見え審美性の観点から好ましくない。このような場合に、遺体に装着させる遺体用義歯が知られている（例えば、特許文献１参照）。
特許文献１には、義歯床と、この義歯床に保持された義歯とを備え、この義歯床を、歯肉唇側と口唇との間に義歯の突出方向と反対方向に差し込まれる差込片とし、義歯床の口唇側表面を、口唇に向かって隆起させた、欠損歯補填仏具が記載されている。
【先行技術文献】
【特許文献】
【０００３】
【特許文献１】特開２０００−３４２６０４号公報
【発明の概要】
【発明が解決しようとする課題】
【０００４】
しかし、特許文献１に記載の欠損補填仏具は、歯肉唇側と口唇との間に、歯肉に相当する義歯床を差込片として差し込んで支持させているため、遺体に前歯があれば、前歯が支えとなって歯牙を安定した状態とすることができるが、前歯の全てが損失した遺体の場合には、義歯が口唇に押され、口中内に向かって入り込み、安定させることができない。
【０００５】
そこで本発明は、遺体の口中に、容易に、かつ安定に装着させることができる遺体用義歯を提供することを目的とする。
【課題を解決するための手段】
【０００６】
本発明の遺体用義歯は、人工歯が並べられた歯列と、前記歯列を遺体の口中の詰綿に固定する固定部材とを備えたことを特徴とする。
本発明の遺体用義歯によれば、遺体の口中の詰綿に歯列を固定する固定部材が設けられているため、遺体の歯牙の有無に関係なく歯列を安定させることができる。
【０００７】
前記歯列のアーチ状を保持するワイヤ部材が、前記歯列の裏側に設けられているのが望ましい。ワイヤ部材を湾曲させるだけで、遺体の歯列のアーチ形状に合わせて、遺体用義歯のアーチ形状を保持させることができる。
【０００８】
前記固定部材を、前記歯列の裏面側から突出して、前記詰綿に突き刺ささる突状部材とすることができる。突状部材とした固定部材が、詰綿に突き刺さることで、歯列を固定させることができる。
【０００９】
前記固定部材を、前記歯列の裏面に設けられ、前記詰綿に接続する面ファスナーとすることができる。面ファスナーとした固定部材が、詰綿に絡まることで、歯列を固定させることができる。
【００１０】
前記歯列は、それぞれの人工歯が分離した状態で形成され、前記面ファスナーは、前記歯列の一端から他端までを連結するのが望ましい。歯列の人工歯が分離しているので、遺体の歯牙の状況に応じて、必要個数の人工歯と、不要となる人工歯のとの間の面ファスナーを切断することで、所望する幅の遺体用義歯とすることができる。
【発明の効果】
【００１１】
本発明は、固定部材が設けられているため、遺体の歯牙の有無に関係なく歯列を安定させることができるができるので、遺体の口中に、容易に、かつ安定に装着させることができる。従って、葬儀における遺体の審美性を向上させることができる。
【図面の簡単な説明】
【００１２】
【図１】本発明の実施の形態１に係る遺体用義歯を示す図であり、（Ａ）は正面図、（Ｂ）は背面図、（Ｃ）は側面図である。
【図２】図１に示す遺体用義歯の使用状態を説明するための図である。
【図３】本発明の実施の形態２に係る遺体用義歯を示す図であり、（Ａ）は正面図、（Ｂ）は背面図、（Ｃ）は側面図である。
【図４】図３に示す遺体用義歯の使用状態を説明するための図である。
【発明を実施するための形態】
【００１３】
（実施の形態１）
本発明の実施の形態１に係る遺体用義歯を図面に基づいて説明する。
図１に示す遺体用義歯１は、人工歯２が並べられた歯列３と、歯列３の基端部を被覆する義歯床４と、歯列３の裏面に設けられたワイヤ部材５と、歯列３を遺体の口中内に固定する固定部材６とを備えている。
【００１４】
歯列３は、上顎の左右１番から３番までの人工歯２が並べられている。この人工歯２は、樹脂製や陶製とすることができる。義歯床４、軟質の樹脂製で形成されている。ワイヤ部材５、それぞれの人工歯２の裏面に貼り付けられた熱収縮チューブ５１と、熱収縮チューブ５１に挿通させた２本のワイヤ５２と、２本のワイヤ５２の両端部に設けられた終端部５３を備えている。
【００１５】
熱収縮チューブ５１としては、加熱すると収縮して内径がワイヤ５２の直径より小さくなるようなものを採用している。ワイヤ５２としては、手操作で簡単に曲げられ、曲げられると、その湾曲状態を維持することができるものを採用している。終端部５３としては、ワイヤ５２をアーチ形状とするときに指の内側で押さえ易くするためのもので、樹脂により成形することができる。本実施の形態１では、義歯床４と同じ樹脂を採用している。
【００１６】
固定部材６は、歯列３の裏面側から突出して、詰綿に突き刺ささる突状部材により形成されている。本実施の形態１では、突状部材を硬質樹脂製により円錐状部材としているが、口中内に配置された詰綿に突き刺さればよいので、角錐状部材や針状部材、楔状部材などとしてもよい。
【００１７】
この遺体用義歯１は、以下のようにして製造することができる。
まず、左右１番から３番までの人工歯２のそれぞれの裏側に、２本の熱収縮チューブ５１を歯列方向に沿って上下に貼り付ける。次に、ワイヤ５２をそれぞれ挿通させ、人工歯２の間隔を詰める調整を行い、歯列３を形成する。
歯列３が整ったところで、ドライヤーなどで熱収縮チューブ５を加熱して、ワイヤ５２に熱収縮チューブ５１を密着させ、ワイヤ５２を熱収縮チューブ５１に塗布した接着材により歯列３に固定する。歯列３の基端部に筆などで液状樹脂を塗布して厚塗りし、硬化させることで、義歯床４を成形する。そして、ワイヤ５２の両端を、２本の長さを揃えるために切断した後、ワイヤ５２の両端部に終端部５３を付ける。最後に、固定部材６を義歯床４の両端部に接着材より固定すれば、遺体用義歯１が完成する。
【００１８】
次に、本発明の実施の形態１に係る遺体用義歯の使用状態を説明する。なお、遺体には、予め体液の漏れ防止、異臭の抑制のために、口中に詰綿Ｃ（図２参照）が挿入されているものとする。
歯列３の中央部分を一方の手で持ち、他方の手の親指と人差し指とで両方の終端部５３を押さえて挟み、ゆっくりと曲げ、遺体の前歯の歯列のアーチ形状に合わせる。
次に、遺体用義歯１を遺体の前歯の歯列に当てながら押し込むことで、図２に示すように、固定部材６が詰綿Ｃに突き刺さり、遺体用義歯１が固定される。
【００１９】
このように、遺体の口中の詰綿Ｃに歯列を固定する固定部材が設けられているため、遺体の歯牙の有無に関係なく歯列を安定させることができる。従って、遺体用義歯１を遺体の口中に、容易に、かつ安定に装着させることができる。
また、ワイヤ５２を湾曲させるだけで、遺体の歯列のアーチ形状に合わせて歯列３のアーチ形状を保持させることができるので、遺体ごとに歯列３の異なる遺体用義歯を準備する必要がない。
また、ワイヤ部材５を曲げるときに、ワイヤ５２の両端部に終端部５３が設けられているため、滑りにくく、所望するアーチ形状にワイヤ５２を変形させることができる。
【００２０】
なお、本実施の形態１では、義歯床４が設けられているが、遺体の口中に入れたときには口唇に隠れ、歯列３のアーチ形状はワイヤ部材５によって維持されているため、省略することが可能である。しかし、遺体用義歯１の意匠性を向上させることができるので、義歯床４を設けていてもよい。
また、固定部材６は、義歯床４に設けられているが、両端部（左右３番）の人工歯２の裏側から口中の奥側に向けて突出するように設けてもよい。
【００２１】
（実施の形態２）
本発明の実施の形態２に係る遺体用義歯について、図面に基づいて説明する。なお、図３においては、図１と同じ構成のものは同符号を付して説明を省略する。
図３に示すように遺体用義歯１ｘは、固定部材６ｘとして、面ファスナーで詰綿に固定することを特徴としたものである。
【００２２】
固定部材６ｘは、面ファスナー６１ｘにより形成され、人工歯２の裏面に熱収縮チューブ５１（図示せず）を挿通したワイヤ５２を介在させ接着材により歯列３の一端から他端まで固定されている。
義歯床４ｘは、分離した状態の人工歯２の基端部にそれぞれ設けられている。
【００２３】
この遺体用義歯１ｘを遺体の口中に入れるときには、まず、遺体の口中の歯牙の状態に合わせて、不要な人工歯２をニッパーなどの工具を用いて、面ファスナー６１ｘとワイヤ５２を切断して切り離す。例えば、遺体用義歯１ｘから左右３番をそれぞれ切り離し、左右１番と２番だけとすることができる。
このように、遺体の歯牙の状況に応じて、必要個数の人工歯２と、不要となる人工歯２のとの間の面ファスナー６１ｘおよびワイヤ５２を切断することで、所望する幅の遺体用義歯とすることができる。
【００２４】
次に、歯列３の中央部分を一方の手で持ち、他方の手の親指と人差し指とでワイヤ５２の両端を押さえて挟み、ゆっくりと曲げ、遺体の前歯の歯列のアーチ形状に合わせる。
ワイヤ５２を湾曲させるだけで、遺体の歯列のアーチ形状に合わせて歯列３のアーチ形状を保持させることができるので、遺体ごとに歯列３の異なる遺体用義歯を準備する必要がない。
【００２５】
そして、面ファスナー６１ｘを詰綿Ｃに押し付けるようにして、遺体用義歯１ｘを遺体の口中に入れる。そうすることで、面ファスナー６１ｘが、詰綿Ｃに絡まるので、遺体の歯牙の有無に関係なく歯列３を固定させることができる。従って、遺体用義歯１ｘを遺体の口中に、容易に、かつ安定に装着させることができる。
【００２６】
なお、本実施の形態２においても、人工歯２の基端部に義歯床４ｘが設けられているが、実施の形態２と同様に、遺体の口中に入れたときには口唇に隠れるため、省略することができる。
【産業上の利用可能性】
【００２７】
本発明は、葬儀の際に、親族や参列者から見送られる遺体の審美性を向上させるのに好適である。
【符号の説明】
【００２８】
１  遺体用義歯
２  人工歯
３  歯列
４  義歯床
５  ワイヤ部材
５１  熱収縮チューブ
５２  ワイヤ
５３  終端部
６  固定部材
Ｃ  詰綿
【図１】
0005921947.tif 000002
【図２】
0005921947.tif 000003
【図３】
0005921947.tif 000004
【図４】
0005921947.tif 000005